(57)【要約】【課題】複数のＤＳＰユニットで１つのＡＤユニットを共有する場合に、あるＤＳＰにおける操作が他のＤＳＰに直接的な影響を及ぼすことがないようにするとともに、ＡＤゲイン値とＤＳＰゲイン値の両方を一目で把握できるような表示を行うようにする技術を提供することを目的とする。【解決手段】音響信号を入力する入力ユニットと音響信号に対する各種の信号処理を行う複数の信号処理ユニットとをオーディオネットワークに接続したネットワークオーディオシステムにおいて、入力ユニット内のゲイン調整手段のゲイン値を表現する部分の表示態様と、信号処理ユニット内のゲイン調整手段のゲイン値を表現する部分の表示態様とを異ならせることにより、１組のインジケータの中で両ゲイン値を区別して表示することを特徴とする。【選択図】  図４
2011044975.tif 000002
【特許請求の範囲】
【請求項１】
音響信号を入力する入力ユニットと音響信号に対する各種の信号処理を行う複数の信号処理ユニットとをオーディオネットワークに接続したネットワークオーディオシステムであって、
前記入力ユニットは、
入力した音響信号のゲイン調整を行う入力ユニット内ゲイン調整手段と、
前記入力ユニット内ゲイン調整手段によりゲイン調整された音響信号を、前記オーディオネットワークを介して、前記複数の信号処理ユニットのそれぞれに送信する送信手段と
を備え、
前記各信号処理ユニットは、
前記入力ユニットから送信された音響信号のゲイン調整を行う信号処理ユニット内ゲイン調整手段と、
前記信号処理ユニット内ゲイン調整手段によるゲイン調整を行った後の音響信号に対して各種の信号処理を施す信号処理手段と
を備えるとともに、
前記信号処理ユニット内ゲイン調整手段のゲイン調整におけるゲイン値を設定する操作手段と、
前記入力ユニット内ゲイン調整手段のゲイン値と前記信号処理ユニット内ゲイン調整手段のゲイン値を表示する１組のインジケータ手段であって、前記入力ユニット内ゲイン調整手段のゲイン値を表現する部分の表示態様と前記信号処理ユニット内ゲイン調整手段のゲイン値を表現する部分の表示態様とを異ならせることにより、１組のインジケータの中で両ゲイン値を区別して表示するものと
を備えることを特徴とするネットワークオーディオシステム。
【請求項２】
請求項１に記載のネットワークオーディオシステムにおいて、
前記インジケータ手段は、輝度を変えて点灯させることができる発光要素を複数個並べてメータ状にゲイン値を表現するものであり、該輝度を変えることにより前記表示態様を異ならせたゲイン値の表示を行うものであることを特徴とするネットワークオーディオシステム。
【請求項３】
請求項１に記載のネットワークオーディオシステムにおいて、
前記インジケータ手段は、表示色を変えて点灯させることができる発光要素を複数個並べてメータ状にゲイン値を表現するものであり、該表示色を変えることにより前記表示態様を異ならせたゲイン値の表示を行うものであることを特徴とするネットワークオーディオシステム。
【請求項４】
請求項１から３の何れか１つに記載のネットワークオーディオシステムにおいて、
前記インジケータ手段は、エンコーダのノブの周りに円弧状に配置された発光部からなることを特徴とするネットワークオーディオシステム。
【発明の詳細な説明】
【技術分野】
【０００１】
この発明は、入力ユニットと信号処理ユニットをネットワークに接続したネットワークオーディオシステムにおいて、入力ユニットで設定されたゲイン値と信号処理ユニットで設定されたゲイン値の両方を１組のＬＥＤインジケータで表示可能とする技術に関する。
【背景技術】
【０００２】
従来より、ミキシングや効果付与などの信号処理を実行するＤＳＰ（ディジタルシグナルプロセッサ）ユニットとＡＤ（アナログディジタル）変換機能を備える入力ユニットとを音響信号を送受信可能なネットワークに接続して構成されたネットワークオーディオシステムが知られている。このようなネットワークオーディオシステムでは、１つのＡＤチャンネルの信号を複数のＤＳＰユニットに出力し共有して利用することがある。
【０００３】
図７は、従来のネットワークオーディオシステムにおけるゲイン値の操作例を示す。ネットワークに２台のＤＳＰ７０２，７０３と、１台のＡＤユニット７０１が接続されている。ＡＤユニット７０１は、ヘッドアンプ（ＨＡ）７１１およびＡＤ変換器（ＡＤＣ）７１２を備えている。マイクなどで入力した音響信号は、ＨＡ７１１およびＡＤＣ７１２を介してディジタル音響信号としてＤＳＰ７０２および７０３に入力する。各ＤＳＰ７０２，７０３は、それぞれ、設定されたマイクロプログラムを実行することにより各種の信号処理を行う。各ＤＳＰ７０２，７０３は、それぞれ操作部７２１および７３１を備えており、この操作部によりＤＳＰ内でのゲイン値の操作やＡＤユニット７０１のＨＡ７１１のゲイン値の操作を行うことができる。
【０００４】
図７のようなネットワークオーディオシステムにおいて、例えば、ＤＳＰ７０１の操作部７２１の操作に応じて、ＡＤユニット７０１のＨＡ７１１のゲイン値が変更されたとする。このとき、ＡＤユニット７０１から出力される音響信号は、ＤＳＰ７０２と７０３の両方に入力するようになっているので、ＨＡ７１１のゲイン値の変更はＤＳＰ７０３にも影響してしまう。これを防ぐため、何れかのＤＳＰ（例えば７０２）の操作に応じてＡＤユニット７０１のＨＡ７１１のゲイン値が変更されたとき、他のＤＳＰ（例えば７０３）では、信号処理を行う前段階の処理でそのゲイン値の変更量を打ち消すように自動補正する機能が考えられている（下記特許文献１の段落００１８等参照）。これにより、他のＤＳＰ７０３は、上述したＤＳＰ７０２の操作による入力ユニットのＨＡ７１１のゲイン値の変更の影響を受けることなく信号処理することが可能となる。
【先行技術文献】
【特許文献】
【０００５】
【特許文献１】特開２００８−１７５３８号公報
【発明の概要】
【発明が解決しようとする課題】
【０００６】
上述したように、１つのＡＤチャンネルを複数のＤＳＰユニット（またはチャンネル）で共有している場合、あるＤＳＰにおける操作が、他のＤＳＰに影響を及ぼし、処理が複雑になるという不具合があった。さらに、他のＤＳＰでは、現在表示されているゲイン値が実際のＡＤゲイン値であるかどうか分からないという不都合があった。
【０００７】
この発明は、複数のＤＳＰユニットで１つのＡＤユニットを共有する場合に、あるＤＳＰにおける操作が他のＤＳＰに直接的な影響を及ぼすことがないようにするとともに、ＡＤゲイン値とＤＳＰゲイン値の両方を一目で把握できるような表示を行うようにする技術を提供することを目的とする。
【課題を解決するための手段】
【０００８】
上記目的を達成するため、請求項１に係る発明は、音響信号を入力する入力ユニットと音響信号に対する各種の信号処理を行う複数の信号処理ユニットとをオーディオネットワークに接続したネットワークオーディオシステムであって、前記入力ユニットは、入力した音響信号のゲイン調整を行う入力ユニット内ゲイン調整手段と、前記入力ユニット内ゲイン調整手段によりゲイン調整された音響信号を、前記オーディオネットワークを介して、前記複数の信号処理ユニットのそれぞれに送信する送信手段とを備え、前記各信号処理ユニットは、前記入力ユニットから送信された音響信号のゲイン調整を行う信号処理ユニット内ゲイン調整手段と、前記信号処理ユニット内ゲイン調整手段によるゲイン調整を行った後の音響信号に対して各種の信号処理を施す信号処理手段とを備えるとともに、前記信号処理ユニット内ゲイン調整手段のゲイン調整におけるゲイン値を設定する操作手段と、前記入力ユニット内ゲイン調整手段のゲイン値と前記信号処理ユニット内ゲイン調整手段のゲイン値を表示する１組のインジケータ手段であって、前記入力ユニット内ゲイン調整手段のゲイン値を表現する部分の表示態様と前記信号処理ユニット内ゲイン調整手段のゲイン値を表現する部分の表示態様とを異ならせることにより、１組のインジケータの中で両ゲイン値を区別して表示するものとを備えることを特徴とする。前記操作手段は、前記信号処理ユニット内に設けられたユーザインターフェースでもよいし、前記信号処理ユニット外に設けられ、ネットワークにより該信号処理ユニットに接続されているものでもよい。
【０００９】
請求項２に係る発明は、請求項１に記載のネットワークオーディオシステムにおいて、前記インジケータ手段は、輝度を変えて点灯させることができる発光要素を複数個並べてメータ状にゲイン値を表現するものであり、該輝度を変えることにより前記表示態様を異ならせたゲイン値の表示を行うものであることを特徴とする。
【００１０】
請求項３に係る発明は、請求項１に記載のネットワークオーディオシステムにおいて、前記インジケータ手段は、表示色を変えて点灯させることができる発光要素を複数個並べてメータ状にゲイン値を表現するものであり、該表示色を変えることにより前記表示態様を異ならせたゲイン値の表示を行うものであることを特徴とする。
【発明の効果】
【００１１】
本発明によれば、１つの入力ユニットからの音響信号を複数の信号処理ユニットに入力して共有する場合でも、各信号処理ユニット内のゲイン調整手段のゲイン値は、操作手段の操作により変更されることはあっても、その変更が他のユニットに影響を及ぼすことはない。従って、処理が複雑になるという不具合は生じない。また、１組のインジケータ手段により、入力ユニット内ゲイン調整手段のゲイン値と信号処理ユニット内ゲイン調整手段のゲイン値を異なる表示態様で区別して表示できるので、両ゲイン値を一目で把握できる。
【図面の簡単な説明】
【００１２】
【図１】本発明の実施形態のネットワークオーディオシステムのモジュール構成図
【図２】本実施形態のネットワークオーディオシステムの概略構成図
【図３】本実施形態のネットワークオーディオシステムのＡＤユニットおよびＤＳＰユニットのハードウェア構成図
【図４】ＬＥＤインジケータによるゲイン表示例（その１）を示す図
【図５】ＬＥＤインジケータによるゲイン表示例（その２）を示す図
【図６】ゲイン表示処理のフローチャート
【図７】従来のネットワークオーディオシステムにおけるゲインの調整例を示す図
【発明を実施するための形態】
【００１３】
以下、図面を用いてこの発明の実施の形態を説明する。
【００１４】
図１は、本発明の実施形態に係るネットワークオーディオシステムのモジュール構成図である。このネットワークオーディオシステムは、アナログディジタル変換ユニット１０１，１０２（以下、ＡＤ＃１，ＡＤ＃２と言う）と、ＤＳＰユニットである信号処理装置１０４，１０５（以下、ＤＳＰ＃１，ＤＳＰ＃２と言う）と、ディジタルアナログ変換ユニット１０６，１０７（以下、ＤＡ＃１，ＤＡ＃２と言う）とを、オーディオ信号をリアルタイムに伝送可能な複数の伝送ｃｈを有するオーディオネットワーク１０３に接続して構成されている。
【００１５】
ＡＤ＃１およびＡＤ＃２は、マイク入力やライン入力したアナログオーディオ信号をディジタルオーディオ信号に変換し、オーディオネットワーク１０３を介してＤＳＰ＃１，＃２に出力する。ＤＳＰ＃１および＃２は、所定のマイクロプログラムを実行することにより、入力したディジタルオーディオ信号の音量レベル制御処理、効果付与処理、およびミキシング処理などを行い、処理後のオーディオ信号を、オーディオネットワーク１０３を介して、ＤＡ＃１，ＤＡ＃２に出力する。ＤＡ＃１および＃２は、オーディオネットワーク１０３から入力したディジタルオーディオ信号をアナログオーディオ信号に変換し、ＰＡアンプ１０８，１０９を介してスピーカ１１０，１１１から放音する。
【００１６】
図２は、図１のＡＤ＃１およびＤＳＰ＃１，＃２の部分を詳細にした構成図である。ＡＤ＃１内のＨＡ２０１は、マイクなどからの入力を直接受けてそのゲイン調整を行うヘッドアンプである。ＨＡ２０１でゲイン調整されたアナログオーディオ信号は、アナログディジタル変換器（ＡＤＣ）２０２によりディジタル信号に変換され、オーディオネットワーク１０３経由で、ＤＳＰ＃１と＃２に入力する。ＤＳＰ＃１内のＨＡ２０３およびＤＳＰ＃２内のＨＡ２０５は、入力されたディジタルオーディオ信号のゲイン調整を行うディジタルヘッドアンプである。ＨＡ２０３，２０５は、各ＤＳＰユニットにおいて入力ｃｈ毎に設けられる。操作部２０４，２０６は、操作パネル上の各種の操作子および表示部を含む操作部である。操作部２０４，２０６により、各ＤＳＰユニットでは、自ＤＳＰ内の各ｃｈ毎のＨＡ２０３，２０５のゲイン値を操作することができる。操作されたゲイン値は、自ＤＳＰ内で適用されるパラメータであり、外部のＡＤユニットや他のＤＳＰに影響を与えることはない。各ＡＤユニットのＨＡ２０１のゲイン値は、ネットワーク１０３経由で、各ＤＳＰユニット１０４，１０５に配信される。各ＤＳＰユニットの操作部２０４，２０６は、操作パネル上の表示器に、ＡＤユニットのＨＡ２０１におけるゲイン値と、自ＤＳＰ内のディジタルＨＡ２０３，２０５におけるゲイン値の２種類の値を表示するが、その表示方法については後に詳しく説明する。
【００１７】
図３（ａ）は、ＡＤユニット（ＡＤ＃１，＃２）のハードウェア構成を示す。図２のＨＡ２０１を含むアナログオーディオ信号入力インターフェース３０１を介して入力したアナログ信号は、ＡＤＣ３０２（図２の２０２）によりディジタル信号に変換され、ネットワークＩ／Ｏ（入出力インターフェース）３０４を介してオーディオネットワーク１０３に出力される。ＵＩ３０３は、操作パネル上の各種の操作子や表示器などを含むユーザーインターフェース部を示す。ＵＩ３０３の、例えば所定のつまみを操作することにより、入力インターフェース３０１内のＨＡのゲイン値を調整することができる。そのゲイン値は、ネットワークＩ／Ｏ３０４を介して各ＤＳＰに伝えられる。ＣＰＵ３０５は、本ＡＤユニット全体の動作を制御するための処理装置である。ＤＳＰ３０６は、ＡＤＣ３０２によりディジタル信号に変換されたオーディオ信号に対し、適宜信号処理を施すための信号処理装置である。
【００１８】
図３（ｂ）は、ＤＳＰユニット（ＤＳＰ＃１，＃２）のハードウェア構成を示す。ネットワークＩ／Ｏ３１１を介してオーディオネットワーク１０３から入力したディジタルオーディオ信号は、信号処理部（狭義のＤＳＰ）３１２で信号処理される。図２の２０３，２０５に示した各ｃｈ毎のディジタルＨＡは、ＤＳＰ３１２による信号処理で実現する。ＣＰＵ３１４は、本ＤＳＰユニット全体の動作を制御するための処理装置である。ＵＩ３１３は、本ＤＳＰユニットの操作パネル上に設けられた各種の操作子や表示器を含むユーザーインターフェース部を示す。ＵＩ３１３により設定された本ＤＳＰユニット内のディジタルＨＡ（図２の２０３，２０５）のゲイン値およびネットワークＩ／Ｏ３１１を介して受信したＡＤユニットのＨＡ（図２の２０１）のゲイン値は、ＣＰＵ３１４が、後述する所定の表示態様でＵＩ３１３（特にＬＥＤインジケータ）に表示する。
【００１９】
図４は、ＤＳＰユニット（以下、ＤＳＰユニット１０４を例として説明するが、他のＤＳＰユニットについても同様である）のＵＩ３１３に含まれるＬＥＤインジケータによるゲインの表示例を示す。図４（ａ）において、４０１はＤＳＰユニットの操作パネル上に設けられたエンコーダのつまみを示し、４０２はエンコーダ４０１の周囲に円弧状に配置された１組のＬＥＤインジケータ（複数のＬＥＤから構成されるので「１組」という）を示す。ＬＥＤインジケータ４０２は、ここではエンコーダ４０１の周囲を始点位置４１１から終点位置４１９まで帯状に取り囲む形状で図示したが、実際には、例えば濃い網掛け部分４２３に示す大きさの１個のＬＥＤ部をエンコーダ４０１の周囲に円弧状に複数個並べることにより、１組のＬＥＤインジケータ４０２の全体を形成している。ＬＥＤインジケータ４０２を構成する複数個の各ＬＥＤ部は、少なくとも２段階の輝度で点灯できるものとする。従って、各ＬＥＤ部の状態としては、消灯、低輝度で点灯、および高輝度で点灯の３つの状態を採ることができる。
【００２０】
本実施形態では、このようなＬＥＤインジケータ４０２により、ＡＤユニットのＨＡ２０１のゲイン値とＤＳＰユニットのＨＡ２０３のゲイン値の両方を表示する。なお、ゲイン値はｄＢ（デシベル）表現とする。まず、ＡＤユニットのＨＡ２０１のゲイン値αは、始点位置４１１からの消灯部分４２１で表現する。この消灯部分４２１の終点位置は位置４１２であり、この消灯部分４２１の始点位置４１１から終点位置４１２までの長さで上記ＨＡ２０１のゲイン値αを表現するものとする。なお、詳しく言えば、エンコーダ４０１のつまみの中心位置から始点位置４１１に伸ばした直線と終点位置４１２（さらに厳密には、終点位置４１２の直前にある消灯状態のＬＥＤ部の中心位置）に伸ばした直線とが為す角度がゲイン値αを表すものであるが、ここでは説明を簡単にするため「長さ」と呼ぶ。
【００２１】
次に、ＤＳＰユニットのＨＡ２０３のゲイン値βは、始点位置４１２（ゲイン値αを示す終点位置である）からの低輝度点灯部分４２２と高輝度点灯部分４２３で表現する。すなわち、位置４１２から位置４１３までの長さで、上記ＨＡ２０３のゲイン値βを表現する。結果として、ＤＳＰユニットのＨＡ２０３から出力されるオーディオ信号のゲイン値はα＋βとなるが、高輝度点灯部分４２３の終点位置４１３（厳密には高輝度点灯部分４２３のＬＥＤ部の中心位置）でゲイン値α＋βを表現していることになる。
【００２２】
以上により、ユーザは、全体としてのゲイン値α＋βは高輝度点灯部分４２３の位置で把握でき、またＡＤユニットのＨＡ２０１のゲイン値αは消灯部分４２１の終点位置４１２で把握でき、さらに低輝度および高輝度の点灯部分４２２，４２３で全体としてのゲイン値とＡＤユニットのＨＡ２０１のゲイン値との差分（すなわち、ＤＳＰユニットで操作したゲイン値β）を把握できる。
【００２３】
図４（ｂ）は、ＤＳＰユニットのＨＡ２０３のゲイン値が負値の場合の表示例を示す。図４（ｂ）において、図４（ａ）と同じ番号は同じ部分を示す。図４（ｂ）では、ＡＤユニットのＨＡ２０１のゲイン値αは、始点位置４１１から終点位置４１７までの長さで表現されている。負値であるＤＳＰユニットのＨＡ２０３のゲイン値β＜０は、その終点位置４１７から始点位置４１１側に戻るように、低輝度および高輝度の点灯部分４３２，４３３で表現する。高輝度点灯部分４３３が低輝度点灯部分４３２の始点位置４１１側にあるので、ＤＳＰユニットのＨＡ２０３のゲイン値βが負値であり、位置４１１から位置４１７までがゲイン値αを示していることが分かる。
【００２４】
以上により、ユーザは、全体としてのゲイン値α＋βは高輝度点灯部分４３３の位置で把握でき、またＡＤユニットのＨＡ２０１のゲイン値αは始点位置４１１から位置４１７までの長さで把握でき、さらに低輝度および高輝度の点灯部分４３２，４３３の長さでＤＳＰユニットで操作した負値のゲイン値βを把握できる。
【００２５】
図５は、ＬＥＤインジケータによるゲインの表示例の別の例を示す。図５（ａ）の表示例は図４（ａ）と同様のものであるが、図４（ａ）の消灯部分４２１の最後のＬＥＤ部（すなわち、図４（ａ）の消灯部分４２１の終点位置４１２の手前の消灯状態のＬＥＤ部）を、図５（ａ）では５０１に示すように中輝度で表示する。従って、各ＬＥＤ部は、少なくとも、消灯、低輝度で点灯、中輝度で点灯、および高輝度で点灯の４つの状態を採ることができるものとする。ユーザは、ＡＤユニットのＨＡ２０１のゲイン値αは始点位置４１１から中輝度点灯部分５０１までの長さで把握でき、中輝度点灯部分５０１から高輝度点灯部分４２３までの長さでＤＳＰユニットで操作されたゲイン値βを把握できる。また、中輝度点灯部分５０１と高輝度点灯部分４２３との位置関係でβが正値か負値かを把握できる。
【００２６】
図５（ｂ）は、エンコーダのつまみ４０１の周囲に、内側ＬＥＤインジケータ５１１と外側ＬＥＤインジケータ５１２とを設けた例を示す。内側インジケータ５１１の点灯部分５２１はＡＤユニットのＨＡ２０１のゲイン値αを示し、外側インジケータ５１２の点灯部分５２２は上記αにＤＳＰユニットのＨＡ２０３のゲイン値βを加えた全体としてのゲイン値α＋βを示す。本例では、各ＬＥＤ部は点灯／消灯できるものであればよく、異なる輝度での表示は不要である。なお、外側点灯部分５２２でＤＳＰユニットのＨＡ２０３のゲイン値を表示するようにしてもよい。
【００２７】
図６は、ＤＳＰユニットのＣＰＵ３１４が実行するゲイン表示処理のフローチャートである。この処理は、図４，５で説明したようなゲイン値の表示を行うｃｈ毎に実行される。また、この処理は、ＡＤユニットから当該ｃｈに関するＨＡ２０１のゲイン値の変更コマンドを受信したとき、当該ＤＳＰユニットの当該ｃｈに関するＨＡ２０３のゲイン値が変更されたとき、または、当該ｃｈに関する描画条件が変更されたときに実行される。ＡＤユニットは、任意のｃｈについてＨＡ２０１のゲイン値が変更されたとき、その変更コマンドを各ＤＳＰユニットに送信する。描画条件とは図４，５で説明したような表示態様についての設定であり、ユーザはシステムで選択可能な表示態様から所望のものを選択できるようになっている。
【００２８】
ステップ６０１で、当該ｃｈに関するＡＤゲイン（ＡＤユニットの操作パネル上で設定されたＨＡ２０１のゲイン値）αを取得する。ステップ６０２で、当該ＤＳＰユニットの当該ｃｈに関するＤＳＰゲイン（ＤＳＰユニットの操作パネル上で設定されたＨＡ２０３のゲイン値）βを取得する。ステップ６０３で描画条件を取得し、ステップ６０４でその描画条件に従って図４，５で説明したようにゲイン値の表示を行う。
【００２９】
なお、上記実施形態では、図４，５のように輝度を変えることでＡＤユニットのゲインとＤＳＰユニットのゲインとを区別しているが、輝度を変える代わりに色を変えて区別してもよい。また、ゲイン値の大きさに応じて、そのゲイン値を表現するＬＥＤ部の輝度や色を変更するようにしてもよい。例えば、ゲイン値が大きいときは輝度を高く、小さいときは輝度を低くしたり、ゲイン値が大きいときは赤に近い色を使い、小さいときは青に近い色を使うなどしてもよい。さらに、グラデーションを付けて表示するようにしてもよい。
【００３０】
上記実施形態では、図１のＤＳＰユニットの操作パネル上に設けられたＬＥＤインジケータによる表示例で説明したが、本発明は、信号処理を行うミキサエンジンとオペレータが操作するコンソールとを別体としネットワークで接続する形態のオーディオシステムに適用することも可能である。
【００３１】
上記実施形態によれば、ＤＳＰユニットのＨＡのゲイン値を変更しても、その変更は当該ＤＳＰユニット内だけに有効なものであり、他のユニットのＨＡのゲイン値には影響を及ぼさないようにしているので、処理が複雑になることはない。その一方で、各ｃｈにおけるゲイン値を表示するインジケータは、１組のインジケータでＡＤユニットのゲイン値とＤＳＰユニットのゲイン値の両方が区別できるような表示態様で表示されるので、一目でＡＤユニットのゲイン値とＤＳＰユニットのゲイン値を把握できる。従って、例えば従来技術の図７のように、何れかのＤＳＰユニットでの操作に応じてＡＤユニットのゲイン値が変更されたときに、他のＤＳＰユニットでそのゲイン値の変更量を打ち消すように自動補正するような構成にしたとしても、ＡＤユニットのゲイン値とＤＳＰユニットのゲイン値を区別した表示により、他者によるＡＤユニットのゲイン値の変更や前記自動補正によるＤＳＰユニットのゲイン値の変更は直ぐに把握できる。
【００３２】
なお、上記実施形態では、図４，５のような表示を、エンコーダのノブの周りに配置したハードウエアであるＬＥＤインジケータで行っているが、ＬＣＤ（液晶表示装置）などのディスプレイ上に図４のような表示を行うようにしてもよい。本発明は、そのような態様も含むものである。
【符号の説明】
【００３３】
１０１，１０２…ＡＤユニット、１０３…ネットワーク、１０４，１０５…ＤＳＰユニット、１０６，１０７…ＤＡユニット、２０１…ＡＤユニット内ヘッドアンプ、２０２…ＡＤ変換器、２０３，２０５…ＤＳＰユニット内ディジタルヘッドアンプ、２０４，２０６…操作部。
【図１】
2011044975.tif 000003
【図２】
2011044975.tif 000004
【図３】
2011044975.tif 000005
【図４】
2011044975.tif 000006
【図５】
2011044975.tif 000007
【図６】
2011044975.tif 000008
【図７】
2011044975.tif 000009